(57)【要約】【課題】コネクターフレームに対するコネクターの微小な位置調節を容易に行うことができる。【解決手段】接続部５４を、コネクターフレーム１１のパネル板部２１から突出させた状態で、コネクターフレーム１１に固定されるＶＧＡコネクター４５を、高さ方向に位置調節するＶＧＡコネクター４５の高さ調節機構１６であって、コネクターフレーム１１に回転自在に且つ軸方向に不動に取り付けられ、高さ方向に延在するアジャストねじ８６と、ＶＧＡコネクター４５に固定され、アジャストねじ８６に螺合する固定ナット８７と、を備えた。【選択図】図７
2012003813.tif 000002
【特許請求の範囲】
【請求項１】
接続部を、コネクターフレームのパネル板部から突出させた状態で、前記コネクターフレームに固定されるコネクターを、前記パネル板部と平行な面内で任意の１の方向に位置調節するコネクターの位置調節装置であって、
前記コネクターフレームに回転自在に且つ軸方向に不動に取り付けられ、前記任意の１の方向に延在する雄ねじ部材と、
前記コネクターに固定され、前記雄ねじ部材に螺合する雌ねじ部材と、を備えたことを特徴とするコネクターの位置調節装置。
【請求項２】
前記コネクターは、前記接続部、および前記接続部を保持すると共に前記コネクターフレームに固定されるフレーム取付部からなるコネクター本体と、
前記フレーム取付部に固定され、前記雄ねじ部材が挿通する挿通孔を形成したコネクター基板と、を有し、
前記雌ねじ部材は、前記挿通孔と同軸上において前記コネクター基板に固定されていることを特徴とする請求項１に記載のコネクターの位置調節装置。
【請求項３】
前記コネクターフレームは、前記パネル板部と前記パネル板部の両端からそれぞれ直角に延びる２枚の補強板部と、で断面「コ」字状に形成され、
前記雄ねじ部材は、頭部の着座面を一方の補強板部に接触させた状態で、前記２枚の補強板部に両持ちで回転自在に取り付けられていることを特徴とする請求項１または２に記載のコネクターの位置調節装置。
【請求項４】
前記パネル板部は、前記コネクターの前記接続部が臨むコネクター用開口と、前記コネクター用開口の両側に位置し、前記フレーム取付部に螺合する一対の固定ねじ用の一対の貫通孔と、を有し、
前記コネクター用開口は、前記任意の１の方向に幅広に形成され、
前記各貫通孔は、前記任意の１の方向に延びる長孔に形成されていることを特徴とする請求項１ないし３のいずれかに記載のコネクターの位置調節装置。
【請求項５】
請求項１ないし４のいずれかに記載のコネクターの位置調節装置と、
前記コネクターを含む複数種のコネクターと、
前記コネクターフレームと、
前記複数種のコネクターが接続され、前記パネル板部に平行に配設した接続基板と、を備えたことを特徴とする基板モジュール。
【請求項６】
前記接続基板に直交し、前記コネクターの抜差し方向において前記コネクターとオーバーラップするように配設した増設基板を、更に備え、
前記増設基板の前記コネクターとのオーバーラップ部分には、前記コネクターを逃げる切欠き部が形成されていることを特徴とする請求項５に記載の基板モジュール。
【請求項７】
前記コネクターは、ＶＧＡコネクターであることを特徴とする請求項５または６に記載の基板モジュール。
【発明の詳細な説明】
【技術分野】
【０００１】
本発明は、コネクターフレームに固定されるコネクターを位置調節するコネクターの位置調節装置および基板モジュールに関するものである。
【背景技術】
【０００２】
従来、外部コネクターの固定構造として、コネクター本体を搭載したコネクター基板の両端部を、コネクターフレーム（シャーシおよびシールドケース）の係止部によって、係止し固定するものが知られている（特許文献１参照）。
【先行技術文献】
【特許文献】
【０００３】
【特許文献１】特開平０５−４７１６４号公報
【発明の概要】
【発明が解決しようとする課題】
【０００４】
ところで、外部コネクターを搭載した基板モジュールでは、コネクターの種類や配設状況によって、コネクター同士の干渉やコネクターと周辺部品との干渉を防止すべく、コネクターフレームに対するコネクターの位置を適宜調節する必要がある。
一方、上記固定構造において、コネクターの位置調節を行うには、コネクターフレーム（や係合部）を後加工や交換する必要があるため、位置調節を容易に行うことができないという問題があった。また、コネクターによっては、別売りのスペーサーを設けることも考えられるが、例えば１ｍｍ以下の微調節は困難である等の問題がある。
【０００５】
本発明は、コネクターフレームに対するコネクターの微小な位置調節を容易に行うことができるコネクターの位置調節装置および基板モジュールを提供することを課題としている。
【課題を解決するための手段】
【０００６】
本発明のコネクターの位置調節装置は、接続部を、コネクターフレームのパネル板部から突出させた状態で、コネクターフレームに固定されるコネクターを、パネル板部と平行な面内で任意の１の方向に位置調節するコネクターの位置調節装置であって、コネクターフレームに回転自在に且つ軸方向に不動に取り付けられ、任意の１の方向に延在する雄ねじ部材と、コネクターに固定され、雄ねじ部材に螺合する雌ねじ部材と、を備えたことを特徴とする。
【０００７】
この構成によれば、コネクターフレームに回転自在に且つ軸方向に不動に取り付けられた雄ねじ部材を回転させると、これに螺合した雌ねじ部材が軸方向に移動し、雌ねじ部材を固定したコネクターが軸方向に移動する。すなわち、雄ねじ部材の回転角度に合わせて、コネクターを正逆軸方向に微小に且つ平行姿勢のままに移動させることができる。このように、コネクターフレーム外部から、コネクターを軸方向に平行移動させることができるため、コネクターフレームに対してコネクターを容易に位置調節することができる。
【０００８】
この場合、コネクターは、接続部、および接続部を保持すると共にコネクターフレームに固定されるフレーム取付部からなるコネクター本体と、フレーム取付部に固定され、雄ねじ部材が挿通する挿通孔を形成したコネクター基板と、を有し、雌ねじ部材は、挿通孔と同軸上においてコネクター基板に固定されていることが好ましい。
【０００９】
この構成によれば、雄ねじ部材が、コネクター基板に形成した挿通孔に挿通し、且つ雌ねじ部材が、挿通孔と同軸上においてコネクター基板に固定されているため、コネクター基板上の中央部で雌ねじ部材を固定することができる。ゆえに、雌ねじ部材がコネクター基板の中央部で螺合する形態となるため、位置調節の際、雌ねじ部材の力をコネクターにバランス良く作用させることができ、コネクターが傾いてしまうことを抑制することができる。すなわち、傾いてしまうことを抑制するためのガイドを省略することができる。
【００１０】
この場合、コネクターフレームは、パネル板部とパネル板部の両端からそれぞれ直角に延びる２枚の補強板部と、で断面「コ」字状に形成され、雄ねじ部材は、頭部の着座面を一方の補強板部に接触させた状態で、２枚の補強板部に両持ちで回転自在に取り付けられていることが好ましい。
【００１１】
この構成によれば、簡単な構造で、雄ねじ部材にブレ等を生ずることなく安定に支持することができ、位置調節を安定に行なうことができる。
【００１２】
この場合、パネル板部は、コネクターの接続部が臨むコネクター用開口と、コネクター用開口の両側に位置し、フレーム取付部に螺合する一対の固定ねじ用の一対の貫通孔と、を有し、コネクター用開口は、上記任意の１の方向に幅広に形成され、各貫通孔は、上記任意の１の方向に延びる長孔に形成されていることが好ましい。
【００１３】
この構成によれば、コネクター用開口および各貫通孔を、上記任意の１の方向に長く形成することにより、コネクターフレームにおいて、コネクターの、任意の１の方向への位置調節を許容することができ、コネクターフレームに対し後加工等を必要としない。
【００１４】
本発明の基板モジュールは、上記のコネクターの位置調節装置と、上記コネクターを含む複数種のコネクターと、コネクターフレームと、複数種のコネクターが接続され、パネル板部に平行に配設した接続基板と、を備えたことを特徴とする。
【００１５】
この構成によれば、コネクターの位置調節可能な基板モジュールを提供することができるため、当該基板モジュールの汎用性および機能性を向上することができる。また、コネクターの抜き差しに支障生じない状態で、複数種のコネクターを集約的に配置することができる。
【００１６】
この場合、接続基板に直交し、コネクターの抜差し方向においてコネクターとオーバーラップするように配設した増設基板を、更に備え、増設基板のコネクターとのオーバーラップ部分には、コネクターを逃げる切欠き部が形成されていることが好ましい。
【００１７】
この構成によれば、増設基板にコネクターを逃げる切欠き部を形成することにより、増設基板において、コネクターの配設および位置調節を許容することができる。
【００１８】
この場合、コネクターは、ＶＧＡコネクターであることが好ましい。
【００１９】
上記構成によれば、コネクターの位置調節が可能な基板モジュールを用いることで、種類も多く、形状も多岐にわたるＶＧＡコネクター（Ｖｉｄｅｏ  Ｇｒａｐｈｉｃｓ  Ａｒｒａｙ  ｃｏｎｎｅｃｔｏｒ）に対しても、他の部材を変更せずに適用することができる。
【図面の簡単な説明】
【００２０】
【図１】本実施形態に係るプリンターを示した斜視図である。
【図２】拡張基板モジュールを示した斜視図である。
【図３】コネクターフレーム無しの拡張基板モジュールを示した斜視図である。
【図４】拡張基板モジュールを示した側面視断面図である。
【図５】メイン基板周りを示した斜視図である。
【図６】メイン基板に合体したサブ基板周りを示した裏面斜視図である。
【図７】高さ調節機構周りを示した裏面斜視図である。
【図８】基板ホルダープレートの変形例を示した斜視図である。
【発明を実施するための形態】
【００２１】
以下、添付図面を参照し、本発明の一実施形態に係る基板モジュールとこれを装着したプリンターについて説明する。このプリンターは、いわゆるレシートプリンターであり、外部機器からの情報に基づいて、レシート用の画像データをレシート用紙に印刷して、レシートを作成するものである。なお、外部機器として、ＰＯＳ端末、キーボード、スキャナーおよびディスプレイ等を想定している。
【００２２】
図１に示すように、プリンター１は、プリンター本体２と、プリンター本体２に装着する拡張基板モジュール（基板モジュール）４と、を備えている。本実施形態では、マイクロコンピューター（図示省略）を搭載した拡張基板モジュール４を装着することで、プリンター本体２に情報処理機能を付加する。例えば、当該マイクロコンピューターに、簡易ＰＯＳアプリケーションプログラムを搭載し、プリンター１を予備のＰＯＳ端末として機能させることを想定している。
【００２３】
次に、拡張基板モジュール４について詳細に説明する。なお、以降の説明では、プリンター１に装着した拡張基板モジュール４を上下反転して表した図面を用いると共に、図２および図３における手前側を「前」、奥側を「後」、上側を「上」、下側を「下」として、説明を進める。また、上記した前後に対する右側（図中左側）を「右」、前後に対する左側（図中右側）を「左」とする。
【００２４】
図２、図３および図４に示すように、拡張基板モジュール４は、後面を開放した箱状のコネクターフレーム１１と、コネクターフレーム１１を装着するコネクターモジュール３と、を備えている。コネクターモジュール３は、コネクターフレーム１１の前面に露出させたＶＧＡコネクター４５を含む複数の外部コネクターからなるコネクター群１２と、コネクターフレーム１１の内部から後方に延在するように設けたメイン基板（増設基板）１３と、コネクターフレーム１１内において、メイン基板１３に直角に立設したサブ基板（接続基板）１４と、コネクターフレーム１１の天面に添わせて設けられ、サブ基板１４の上端部（固定端部）を保持する基板ホルダープレート１５と、ＶＧＡコネクター４５の高さを調節する高さ調節機構（位置調節装置）１６と、メイン基板１３上の後端部に配設され、上記のプリンター本体２に接続するための内部コネクター１７と、を備えている。そして、メイン基板１３には、ワンチップのマイクロコンピューター（図示省略）およびその周辺回路が作りこまれている。各外部コネクターとマイクロコンピューター、マイクロコンピューターと内部コネクター１７とは、配線ケーブル２０（図７参照）により接続されている。なお、マイクロコンピューターは、ＣＰＵ、ＲＡＭ、ＲＯＭおよびデータ記憶部（フラッシュＲＯＭ等）を有する集積回路である。
【００２５】
図２および図４に示すように、コネクターフレーム１１は、導電性材料の金属板で構成されており、前面を構成するパネル板部２１と、パネル板部２１の上下端からそれぞれ直角に延びる一対の上下補強板部（補強板部）２２、２２と、パネル板部２１の左右端からそれぞれ直角に延びる一対の左右補強板部２３、２３と、左側の左右補強板部２３の端部を折り返すように折り曲げて成ると共に、拡張基板モジュール４をプリンター本体２にねじ止めするための取付板部２４と、を備えている。すなわち、コネクターフレーム１１は、パネル板部２１、上下補強板部２２、２２および各左右補強板部２３、２３により、平面視断面および側面視断面において「コ」字状の形状を成している。
【００２６】
また、コネクターフレーム１１における箱の角を成す上下補強板部２２の端部と左右補強板部２３の端部との間は、非接合で接触している。そのため、コネクターモジュール３をコネクターフレーム１１に装着する際、左右補強板部２３、２３の先端側が拡開方向に湾曲し、装着を阻害しないように、かつ他の部品を開いた状態で嵌め入れるように構成されている。また、各上下補強板部２２は、後述のアジャストねじ８６を挿通する通し孔２５を有している。
【００２７】
パネル板部２１は、ＶＧＡコネクター４５のプラグ側の接続部５４に臨んでこれを外部に露出するコネクター用開口３１と、コネクター用開口３１の両側に位置し、ＶＧＡコネクター４５のフレーム取付部５５に螺合する一対のコネクターフレーム固定ねじ（固定ねじ）３３、３３用の一対の貫通孔３２、３２と、拡張基板モジュール４をプリンター本体２にねじ止めするための取付孔３４と、を備えている。すなわち、コネクターフレーム１１は、一対のコネクターフレーム固定ねじ３３、３３によって、コネクターモジュール３にねじ固定され拡張基板モジュール４となり、また、拡張基板モジュール４は、一対の拡張基板モジュール固定ねじ３５、３５によって、上記の取付板部２４および取付孔３４を介して、プリンター本体２にねじ止め固定される。これにより、上記の内部コネクター１７を接続した状態で、拡張基板モジュール４がプリンター本体２に固定される。この構成によれば、拡張基板モジュール４が故障した場合に、拡張基板モジュール固定ねじ３５、３５を外して、拡張基板モジュール４を交換すれば良く、修理時間を短縮することができる。なお、コネクター用開口３１は、高さ方向に幅広に形成され、各貫通孔３２は、高さ方向に延びる長孔に形成されている。すなわち、高さ調節機構１６によるＶＧＡコネクター４５の高さ調節を許容するように形成されている。
【００２８】
図２、図３および図４に示すように、コネクター群１２は、抜き差し方向がメイン基板１３と平行になるように配設されており、メイン基板１３の前端部に搭載された左下部に位置するＬＡＮ（Ｌｏｃａｌ  Ａｒｅａ  Ｎｅｔｗｏｒｋ）コネクター４１および右下部に位置するマイクロＵＳＢ（Ｕｎｉｖｅｒｓａｌ  Ｓｅｒｉａｌ  Ｂｕｓ）コネクター４２と、サブ基板１４の前面にマウントされた右上部に位置するＤＣ（Ｄｉｒｅｃｔ  Ｃｕｒｒｅｎｔ）コネクター４３および上部に並んだ４つのＵＳＢコネクター４４と、高さ調節機構１６に保持された上記ＶＧＡコネクター（コネクター）４５と、を含んでいる。これらのコネクターは、それぞれのプラグコネクターの接続を考慮しつつ、パネル板部２１内においてスペース効率良く配置されている。また、これらのコネクターは、配線ケーブル２０によりサブ基板１４に電気的に接続しており、ひいてはサブ基板１４を介して、メイン基板１３に電気的に接続されている。なお、サブ基板１４とメイン基板１３との接続は、配線ケーブル２０やジャンパーリード線によって行うものであっても良いし、サブ基板１４の下端部において両基板上の配線を直接接続するものであっても良い。
【００２９】
ＶＧＡコネクター４５は、接続部５４を有するコネクター本体５１と、下面にコネクター本体５１をねじ止めしたコネクター基板５２と、を備えている（図４参照）。コネクター基板５２は、上下補強板部２２やメイン基板１３と平行して延在しており、中央部に後述のアジャストねじ８６を挿通する挿通孔５３を有している。コネクター本体５１は、上記接続部５４と、接続部５４を保持すると共にコネクターフレーム１１に内側から当接するフレーム取付部５５と、を備えている。すなわち、上記一対の貫通孔３２、３２を介して、一対のコネクターフレーム固定ねじ３３、３３がフレーム取付部５５に螺合する（図３参照）。これによって、ＶＧＡコネクター４５は、接続部５４を、パネル板部２１から突出させた状態で、コネクターフレーム１１にねじ止め固定される（図２参照）。なお、当該コネクターフレーム固定ねじ３３は、頭部軸心に雌ねじ孔が形成されており、プラグコネクターの雄ねじ部と供して、プラグコネクターを接続する際の抜け止めとしても機能する。
【００３０】
図５に示すように、メイン基板１３には、前方左端部にＬＡＮコネクター４１を、同図示では省略したが前方右端部にマイクロＵＳＢコネクター４２を搭載すると共に、後方中央部に内部コネクター１７を搭載している。また、図６に示すように、メイン基板１３の前方寄りの前後中間部には、サブ基板１４に形成された後述の左右一対の係止突起６６、６６を係合する方形の左右一対の係止孔６１、６１が形成されている。すなわち、サブ基板１４の下端部（突当て端部）を突き当てつつ、一対の係止突起６６、６６を係合することで、サブ基板１４の下端部を係止した状態でこれをメイン基板１３上に立設している。さらに、メイン基板１３には、ＶＧＡコネクター４５の抜差し方向において、ＶＧＡコネクター４５がオーバーラップするように、配設されている（図７参照）。このため、メイン基板１３の当該オーバーラップ部分には、ＶＧＡコネクター４５を逃げる切欠き部６２が配設（形成）されている。切欠き部６２の中央後端には、後述のアジャストねじ８６を挿通する挿通開口６３が凹入するように形成されている。
【００３１】
図３、図４および図６に示すように、サブ基板１４は、メイン基板１３から直角に且つ上方に延在し、ＬＡＮコネクター４１とオーバーラップする部分を除き、メイン基板１３の左右全域を横断するように立設（垂直設置）されている。サブ基板１４の前面には、ＤＣコネクター４３と、４つのＵＳＢコネクター４４とがマウントされている。また、サブ基板１４のメイン基板１３側の端部（下端部）には、上記左右一対の係止突起６６、６６が形成されている。さらに、サブ基板１４の上端部には、図示では省略したが、接地配線（プリント配設）が形成されており、上記の基板ホルダープレート１５を介して接地可能に構成されている。なお、サブ基板１４の上端部（固定端部）と下端部（突当て端部）とは平行に延在している。
【００３２】
図３に示すように、基板ホルダープレート１５は、導電性の金属板（板金）をプレス成形して形成され、且つメイン基板１３に対し平行に延在しており、内側からコネクターフレーム１１に添設するようにして固定されている。基板ホルダープレート１５は、サブ基板１４の上端部に臨みこれを挟持固定する固定板部７１と、固定板部７１の左端から直角に下方に屈曲して延びるねじ止め板部７３と、で一体に形成されている。固定板部７１の右端部には、右端から側方に突出する係合突起７２ａと、右端部から後方に突出する当接突起７２ｂと、右端部から前方に突出するスペーサー突起７２ｃと、が一体に形成されている。係合突起７２ａは、コネクターフレーム１１の係合孔（図示省略）に係合し、基板ホルダープレート１５とコネクターフレーム１１とを左右方向において相互に位置決めする。当接突起７２ｂは、上記右側の拡張基板モジュール固定ねじ３５をプリンター本体２にねじ止めするときに、プリンター本体２に当接する。スペーサー突起７２ｃは、コネクターフレーム１１の内側（パネル板部２１の上端部内側）に当接し、基板ホルダープレート１５とコネクターフレーム１１とを前後方向において相互に位置決めする。
【００３３】
また、固定板部７１には、その後端部から直角に且つメイン基板１３側に折曲げ形成した補強リブ７４が、一体に形成されている。この補強リブ７４により、固定板部７１は、上下方向の曲げに対し十分な応力を発揮する。そして、このように構成された基板ホルダープレート１５は、コネクターフレーム１１の内側に添設された状態で、右端部の係合突起７２ａをコネクターフレーム１１の係合孔に係合する一方、係止ねじ７５により、左端部のねじ止め板部７３をコネクターフレーム１１にねじ止めすることで、コネクターフレーム１１に両持ちで支持される。なお、係止ねじ７５は、外側からコネクターフレーム１１を貫通し、ねじ止め板部７３に螺合する（図２参照）。すなわち、コネクターフレーム１１に基板ホルダープレート１５が固定され、基板ホルダープレート１５にサブ基板１４の上端部が挟持固定されて、各種コネクターの抜き差しに対するサブ基板１４のがたつきや倒れが防止される。
【００３４】
固定板部７１は、サブ基板１４の上端部が臨むスリット状の開口部８１と、開口部８１の開口縁から、前後方向に延在して開口部８１内に突出し、当該上端部を挟持する複数の挟持突起８２と、各挟持突起８２の背面側（基端側）近傍に位置し、開口部８１に平行な複数のスリット８３と、開口部８１の開口縁から、前後方向に延在して開口部８１内に突出し、当該上端部の受けとなる複数の受け突起８４と、を備えている。そして、これら開口部８１および複数のスリット８３も、プレス打ち抜きで形成される。なお、サブ基板１４の上端部の延在方向と開口部８１の延在方向とは、同一である。
【００３５】
複数の挟持突起８２は、前後方向に位置ずれして対向する一対の挟持突起８２、８２の組を、開口部８１の延在方向に分散して（列設して）２組構成している。一対の挟持突起８２、８２は、それぞれ背面側のスリット８３により幅狭に且つばね性を持ってサブ基板１４の上端部の表裏面に押接し、当該上端部を挟持する。また、組となる一対の挟持突起８２は、互い違いとなるように、開口部８１の延在方向（上端部の延在方向）において相互に位置ずれして配設されている。開口部８１にサブ基板１４の上端部を圧入すると、各組の一対の挟持突起８２がサブ基板１４の上端部を挟持する。これにより、各組の一対の挟持突起８２のばね力と、サブ基板１４の部分曲げ応力が拮抗し、サブ基板１４は固定板部７１に無理無く、且つ強固に固定される。また、固定板部７１を介して、サブ基板１４のコネクターフレーム１１への導通が確保される。
【００３６】
また、一対の挟持突起８２、８２の背面側近傍に配設した一対の上記スリット８３、８３によって、サブ基板１４から各挟持突起８２に作用する反力を緩和し、靭性が不足する各挟持突起８２のばね性を確保している。なお、各挟持突起８２のばね性を確保すべく、スリット８３に代えて押圧ばねを設ける構成であっても良い。もっとも、固定板部７１に対するサブ基板１４の圧入は、組立て時のみであるので、挟持突起８２が弾性限界を越えて圧入されても問題はない。
【００３７】
複数の受け突起８４は、前後方向に位置ずれして対向する一対の受け突起８４、８４の組を、開口部８１の延在方向に分散して（列設して）２組構成している。一対の受け突起８４、８４は、微小間隙を存してサブ基板１４の上端部に対峙しており、プラグコネクターの抜き差しの力がサブ基板１４に作用した際、これを受け、サブ基板１４の所定値以上の湾曲や破損を阻止する。すなわち、当該湾曲や破損を阻止する程度の微小間隙を有している。また、一対の受け突起８４、８４は、開口部８１の延在方向において相互に位置ずれして配設されている。なお、挟持突起８２に対し受け突起８４は、開口部８１の延在方向に幅広に形成されている。
【００３８】
一方、基板ホルダープレート１５は、挟持突起８２によって、サブ基板１４の上端部に形成された接地配線に接触し、且つ係合突起７２ａやねじ止め板部７３によって、導電性のコネクターフレーム１１に接触している。そして、サブ基板１４は、コネクターフレーム１１からプリンター本体２、或いはいずれかのコネクターを介して、アースされる。このため、基板ホルダープレート１５は、サブ基板１４の導電・接地手段としても機能する。
【００３９】
図７に示すように、高さ調節機構１６は、コネクターフレーム１１にねじ止め固定する前のＶＧＡコネクター４５を、高さ方向（メイン基板１３に対する垂直方向）（任意の１の方向）に位置調節するものである。高さ機構１６は、コネクターフレーム１１に回転自在に且つ軸方向に不動（固定）に取り付けられていると共に、高さ方向に延在するアジャストねじ（雄ねじ部材）８６と、サブ基板１４に固定され、アジャストねじ８６に螺合する固定ナット（雌ねじ部材）８７と、を備えている。
【００４０】
アジャストねじ８６は、上方の上下補強板部２２、コネクター基板５２、メイン基板１３、下方の上下補強板部２２を挿通して延在しており、頭部の着座面を上方の上下補強板部２２に上側から接触させた状態で、一対の上下補強板部２２、２２に両持ちで回転自在に取り付けられている。また、アジャストねじ８６は、下方の上下補強板部２２の下面に配設された止め輪８８によって軸方向に進退不能に取り付けられている。固定ナット８７は、コネクター基板５２に半田付けで固定され、またコネクター基板５２の挿通孔５３と同軸上においてに固定されている。すなわち、アジャストねじ８６は、回転動自由且つ進退動固定であり、固定ナット８７は、回転動固定且つ進退動自由となっている。
【００４１】
コネクターフレーム１１の外部から、工具等により頭部を介してアジャストねじ８６を回転させると、これに螺合する固定ナット８７が軸方向（高さ方向）に進退動し、これに固定されたコネクター基板５２を移動させる。結果、コネクター基板５２を有するＶＧＡコネクター４５全体が移動する。このように、拡張基板モジュール４の組立後、コネクターフレーム１１の外部からＶＧＡコネクター４５の高さ調節を行うことができる。なお、ＶＧＡコネクター４５に替えて、シリアルコネクター等の他のコネクターを取り付ける場合にも、高さ調節によって、容易に対応することができる。
【００４２】
以上の実施形態によれば、高さ調節機構１６において、アジャストねじ８６の回転角度に合わせて、コネクター（ＶＧＡコネクター４５）を正逆軸方向に微小に且つ平行姿勢のままに移動させることができる。このように、コネクターフレーム１１外部から、コネクターを軸方向に平行移動させることができるため、コネクターフレーム１１に対してコネクターを容易に位置調節することができる。
【００４３】
また、アジャストねじ８６が、コネクター基板５２に形成した挿通孔５３に挿通し、且つ固定ナット８７が、挿通孔５３と同軸上においてコネクター基板５２に固定されているため、コネクター基板５２上の中央部で固定ナット８７を固定することができる。ゆえに、固定ナット８７がコネクター基板５２の中央部で螺合する形態となるため、位置調節の際、固定ナット８７の力をコネクターにバランス良く作用させることができ、コネクターが傾いてしまうことを抑制することができる。すなわち、傾いてしまうことを抑制するためのガイドを省略することができる。
【００４４】
さらに、アジャストねじ８６が、頭部の着座面を一方の上下補強板部２２に接触させた状態で、２枚の上下補強板部２２に両持ちで回転自在に取り付けられていることにより、簡単な構造で、アジャストねじ８６にブレ等を生ずることなく安定に支持することができ、位置調節を安定に行なうことができる。
【００４５】
またさらに、コネクター用開口３１および各貫通孔３２を、高さ方向に長く形成することにより、コネクターフレーム１１において、コネクターの、高さ方向への位置調節を許容することができ、コネクターフレーム１１に対し後加工等を必要としない。
【００４６】
また、メイン基板１３にコネクターを逃げる切欠き部６２を形成することにより、メイン基板１３において、コネクターの配設および位置調節を許容することができる。
【００４７】
なお、本実施形態の基板ホルダープレート１５は、固定板部７１とねじ止め板部７３とで「Ｌ」字状に形成されているが、ねじ止め板部７３を省略することも可能である。かかる場合には、図８に示すように、固定板部７１の左端にも側方に突出する係合突起７２ａを形成し、この部分で固定板部７１の左端部をコネクターフレーム１１に係合する。この場合には、コネクターフレーム１１の左右補強板部２３，２３を外側に開いておいて、固定板部７１との係合を行う。
【００４８】
また、本実施形態においては、高さ調節機構１６により、メイン基板１３に対する垂直方向（高さ方向）においてコネクター（ＶＧＡコネクター４５）を位置調節したが、パネル板部２１と平行な平面内の任意の１の方向であれば、これに限るものではない。例えば、メイン基板１３に対する平行方向（左右方向）においてコネクターを位置調節する構成であっても良い。かかる場合、アジャストねじ８６および固定ナット８７の軸方向をその方向に合わせて配設する。
【００４９】
さらに、本実施形態においては、高さ調節機構１６により、ＶＧＡコネクター４５を高さ調節する構成であったが、高さ調節機構１６により、他のコネクター（ＬＡＮコネクター４１、マイクロＵＳＢコネクター４２、ＤＣコネクター４３、ＵＳＢコネクター４４、シリアルコネクター等）を高さ調節するものであっても良い。また、コネクター基板５２に複数種のコネクターのコネクター本体５１を搭載し、高さ調節機構１６により、これらを一体として高さ調節するものであっても良い。
【符号の説明】
【００５０】
４：拡張基板モジュール、  １１：コネクターフレーム、  １３：メイン基板、  １４：サブ基板、  １６：高さ調節機構、  ２１：パネル板部、  ２２：上下補強板部、  ３１：コネクター用開口、  ３２：貫通孔、  ４５：ＶＧＡコネクター、  ５１：コネクター本体、  ５２：コネクター基板、  ５３：挿通孔、  ５４：接続部、  ５５：フレーム取付部、  ６２：切欠き部、  ８６：アジャストねじ、  ８７：固定ナット
【図１】
2012003813.tif 000003
【図２】
2012003813.tif 000004
【図３】
2012003813.tif 000005
【図４】
2012003813.tif 000006
【図５】
2012003813.tif 000007
【図６】
2012003813.tif 000008
【図７】
2012003813.tif 000009
【図８】
2012003813.tif 000010